(57)【要約】部屋、建物または他の環境のための芳香システムであり、このシステムは、（ａ）スタンドまたは他の形態のベース及び（ｂ）１つまたは複数の携帯芳香物体を含み、各携帯芳香物体は芳香を提供し、スタンドまたはベース上に置かれるように構成される。スタンドまたはベースは、１つまたは複数の芳香物体から芳香を放出するように配置される１つまたは複数のファンまたは他の空気移動システムを含む。
2021501870.tif 000002
【特許請求の範囲】
【請求項１】
部屋、建物または他の環境のための芳香システムであって、前記システムが、（ａ）スタンドまたは他の形態のベースと、（ｂ）１つまたは複数の携帯芳香物体とを含み、各携帯芳香物体が芳香を提供し、前記スタンドまたは前記ベース上に置かれるように構成され、前記スタンドまたは前記ベースが、１つまたは複数の前記芳香物体から芳香を放出するように配置される１つまたは複数のファンまたは他の空気移動システムを含む、前記芳香システム。
【請求項２】
携帯芳香物体が、芳香が注入された基板またはマトリックスを含み、前記物体が、前記スタンドまたは前記ベース内に配置される１つまたは複数のファンまたは他の空気移動システムから吹き付けられた空気が、前記芳香が注入された基板を通過して、部屋、建物または他の環境に出ることができるように構成される、請求項１に記載の芳香システム。
【請求項３】
携帯芳香物体が、芳香が注入された基板またはマトリックスを包含するかまたは覆う壁を有し、前記マトリックスの基板が、流入空気にさらされる前記基板または前記マトリックスの表面積を増やすために、ファンからの前記流入空気を前記基板または前記マトリックス内の流路、溝、アーチまたは他の機能に誘導するように形作られた、または曲線を付けて作られた前記表面を有する、請求項１または２に記載の芳香システム。
【請求項４】
携帯芳香物体が、滑らかな丸みのある小石状または平坦な卵形のような形状であり、（ａ）芳香が注入された基板またはマトリックスを包含するかまたは覆う壁と、（ｂ）前記基板または前記マトリックスの外面と前記壁及び／または前記ベースの内面との間に１つまたは複数の空気通路とを有する、先行請求項のいずれか１項に記載の芳香システム。
【請求項５】
携帯芳香物体が、芳香が注入された基板またはマトリックスと、前記芳香物体を認証し、したがって、前記芳香物体を使用してファンの操作を可能にするために、１つまたは複数のファンを含むベース、スタンドまたは他の種類のドックとデータを交換するＩＤチップまたはデバイス（ワイヤレスチップ、例えば、ＲＦＩＤチップなど）とを含む、先行請求項のいずれか１項に記載の芳香システム。
【請求項６】
携帯芳香物体が、芳香が注入された基板またはマトリックスと、前記携帯芳香物体が十分に近いときにドック内の光または照明をトリガするために、１つまたは複数のファンを含むベース、スタンドまたは他の種類の前記ドックとデータを交換するＩＤチップまたはデバイス（ワイヤレスチップ、例えば、ＲＦＩＤチップなど）とを含む、先行請求項のいずれか１項に記載の芳香システム。
【請求項７】
携帯芳香物体が、芳香が注入された基板またはマトリックスと、ドックから上昇するようにノズルまたは開口部をトリガするために、１つまたは複数のファンを含むベース、スタンドまたは他の種類の前記ドックとデータを交換するＩＤチップまたはデバイス（ワイヤレスチップ、例えば、ＲＦＩＤチップなど）とを含み、前記物体が、前記ノズルまたは前記開口部と係合するように構成される、先行請求項のいずれか１項に記載の芳香システム。
【請求項８】
携帯芳香物体が、（ａ）芳香が注入された基板またはマトリックスを包含するかまたは覆う壁及び／またはベースと、（ｂ）前記基板または前記マトリックスの前記外面と前記壁及び／または前記ベースの前記内面との間に１つまたは複数の空気通路とを含み、前記空気通路が、前記基板または前記マトリックスに誘導されたファンから吹き付けられる流入空気を取り込み、前記基板または前記マトリックスの上を通過させ、前記空気に芳香を加え、次いで、前記空気を前記芳香物体からダクトで排出するように配置される、先行請求項のいずれか１項に記載の芳香システム。
芳香物体機能
【請求項９】
携帯芳香物体が、通常の使用では、ファンまたは他の空気移動システムに接続された空気ノズルと係合するように、ユーザによって前記スタンドまたは前記ベース上に置かれる、先行請求項のいずれか１項に記載の芳香システム。
【請求項１０】
携帯芳香物体が、ファンまたは他の空気移動システムの出口に対して正確に位置決めする前記スタンドまたは前記ベース内の空気ノズルまたは他の取付部と機械的に係合する、先行請求項のいずれか１項に記載の芳香システム。
【請求項１１】
携帯芳香物体が、前記スタンドまたは前記ベース上にしっかりと置かれ、前記スタンドまたは前記ベースに密着するように重み付けされている、先行請求項のいずれか１項に記載の芳香システム。
【請求項１２】
携帯芳香物体が、前記物体からの芳香の実質的な漏出を防ぐための十分な密着性により、前記物体が前記スタンドまたは前記ベースに確実に接触するために十分な重さを有する、先行請求項のいずれか１項に記載の芳香システム。
【請求項１３】
携帯芳香物体が、前記スタンドまたは前記ベース内の前記ファンまたは他の空気移動システムから出てくる空気が前記携帯芳香物体に流入し、通過することを可能にするように構成される１つまたは複数の空気孔を含む、先行請求項のいずれか１項に記載の芳香システム。
【請求項１４】
携帯芳香物体が、前記スタンドまたはベースの中または上に置くように構成される前記ベースを有し、湾曲した上面を有する、先行請求項のいずれか１項に記載の芳香システム。
【請求項１５】
携帯芳香物体が、一般に、４ｃｍ〜１０ｃｍの長さの間の最長寸法を有する滑らかな表面の小石サイズの物体である、先行請求項のいずれか１項に記載の芳香システム。
【請求項１６】
携帯芳香物体が、高さ３０ｍｍ〜１００ｍｍの間、幅２０ｍｍ〜８０ｍｍの間であり、一実施態様では、高さが約７０ｍｍ及び幅が５０ｍｍである、先行請求項のいずれか１項に記載の芳香システム。
【請求項１７】
携帯芳香物体が、硬質で滑らかな外殻を有する、先行請求項のいずれか１項に記載の芳香システム。
【請求項１８】
携帯芳香物体が、硬質の外部ガラスもしくは透明または半透明の殻を有する、先行請求項のいずれか１項に記載の芳香システム。
【請求項１９】
携帯芳香物体が、エンドユーザが前記物体内部の芳香貯蔵部に触れないように保護する外殻を有する、先行請求項のいずれか１項に記載の芳香システム。
【請求項２０】
携帯芳香物体が、芳香を含浸させたＥＶＡ物体などの単一のポリママトリックス物体を含む、先行請求項のいずれか１項に記載の芳香システム。
【請求項２１】
携帯芳香物体が、芳香を含浸させたＥＶＡ（エチレンビニルアセテート）などのポリママトリックスを囲む透明または半透明の殻を有する、先行請求項のいずれか１項に記載の芳香システム。
【請求項２２】
携帯芳香物体が、芳香を含浸させた単一の物体を含む、先行請求項のいずれか１項に記載の芳香システム。
【請求項２３】
携帯芳香物体が、芳香を含浸させた単一のＥＶＡベースまたは他のマトリックスを含む、先行請求項のいずれか１項に記載の芳香システム。
【請求項２４】
携帯芳香物体が、１０ｍＬ〜５０ｍＬの間の実際のＥＶＡの体積を有する、先行請求項のいずれか１項に記載の芳香システム。
【請求項２５】
前記ＥＶＡまたは前記マトリックスが、２０ｍｍ×１０ｍｍ×５ｍｍと８０ｍｍ×６０ｍｍ×４０ｍｍとの間であり、一実施態様では、約５８ｍｍ×４０ｍｍ×１６ｍｍであり、ＥＶＡの実際の体積は、約２０ｍＬまたは２０ｃｍ３である、先行請求項のいずれか１項に記載の芳香システム。
【請求項２６】
新品時の前記マトリックスの前記表面積が、２０００ｍｍ２〜２００００ｍｍ２の範囲である、先行請求項のいずれか１項に記載の芳香システム。
【請求項２７】
携帯芳香物体が、前記物体内の出口開口部を密封するユーザの取り外し可能なシールを含み、製造時から、ならびに輸送中及び保管中に存在する、先行請求項のいずれか１項に記載の芳香システム。
【請求項２８】
携帯芳香物体が、香りの混合で構成される単一の所望の芳香を提供する、先行請求項のいずれか１項に記載の芳香システム。
【請求項２９】
それぞれ異なる芳香を有する異なる携帯芳香物体を作動させ、芳香の異なる組み合わせを生成することができる、先行請求項のいずれか１項に記載の芳香システム。
【請求項３０】
それぞれ異なる芳香を有する異なる携帯芳香物体を異なる時間で作動させて、必要な時間に異なる組み合わせの芳香を生成することができる、先行請求項のいずれか１項に記載の芳香システム。
スタンド内のファン機能
【請求項３１】
単一のファンまたは空気移動システムが、各携帯芳香物体用の前記スタンドまたは前記ベース内に設けられている、先行請求項のいずれか１項に記載の芳香システム。
【請求項３２】
各携帯芳香物体用の前記スタンドまたは前記ベース内に設けられた前記単一のファンまたは前記空気の移動が、前記それぞれの芳香物体からの芳香が必要なときに作動する、先行請求項のいずれか１項に記載の芳香システム。
【請求項３３】
各携帯芳香物体用の前記スタンドまたは前記ベース内に設けられた前記単一のファンまたは前記空気移動システムが、時系列的に作動する、先行請求項のいずれか１項に記載の芳香システム。
【請求項３４】
各携帯芳香物体の前記スタンドまたは前記ベース内にそれぞれ設けられた２つ以上のファンまたは空気移動システムが同時に作動する、先行請求項のいずれか１項に記載の芳香システム。
【請求項３５】
１つまたは複数のファンまたは空気移動システムが、スマートフォンまたは他のデバイスで実行されているアプリを使用して作動される、先行請求項のいずれか１項に記載の芳香システム。
【請求項３６】
軸流ファンまたは遠心分離機が、各携帯芳香物体の下に配置されている、先行請求項のいずれか１項に記載の芳香システム。
ケースを含む遠心ファンのファン直径サイズが、４０ｍｍ〜６０ｍｍの範囲内で、一実施様態では５１ｍｍである、先行請求項のいずれか１項に記載の芳香システム。
【請求項３７】
ファンまたは各ファンに対する空気移動システムのピーク風量が、０．０２〜０．１２  ｍ３／ｍｉｎの間で、一実施様態では、０．０６  ｍ３／ｍｉｎまたは２．１ＣＦＭである、先行請求項のいずれか１項に記載の芳香システム。
【請求項３８】
各ファンまたは空気移動システムの騒音レベルが、自由大気中で平均２６ｄＢである、先行請求項のいずれか１項に記載の芳香システム。
【請求項３９】
前記携帯芳香物体自体には、ファンまたは空気移動システムが含まれていない、先行請求項のいずれか１項に記載の芳香システム。
【請求項４０】
前記システムが、前記スタンド上に置かれた１つ、２つ、３つ、４つ、または５つの芳香物体を含む、先行請求項のいずれか１項に記載の芳香システム。
【請求項４１】
前記スタンドが、商用電源で電力供給される、先行請求項のいずれか１項に記載の芳香システム。
【請求項４２】
前記スタンドが、基本的に立方体の形である、先行請求項のいずれか１項に記載の芳香システム。
【請求項４３】
前記スタンドが、一般に１つまたは複数の携帯芳香物体を受け入れるように構成される平坦な上面を有する、先行請求項のいずれか１項に記載の芳香システム。
【請求項４４】
前記スタンドが、携帯可能である、先行請求項のいずれか１項に記載の芳香システム。
【請求項４５】
前記スタンドが、自動車のダッシュボードなどのデバイスに組み込まれる、先行請求項のいずれか１項に記載の芳香システム。
芳香物体の作動
【請求項４６】
ユーザが、芳香物体を手に取って前記スタンドに戻し、前記芳香物体用の前記ファンまたは前記空気移動システムを作動させる、先行請求項のいずれか１項に記載の芳香システム。
【請求項４７】
ユーザが、前記スタンドから芳香物体を手に取ると、特定の前記芳香物体用の前記スタンド内の前記空気ノズルが持ち上げられる、または持ち上げられたままとなり、前記ユーザが前記持ち上げられたノズルの上に前記芳香物体を置くように前記芳香物体を前記スタンドに戻すと、前記芳香物体が作動することを示す、先行請求項のいずれか１項に記載の芳香システム。
【請求項４８】
携帯芳香物体が、芳香が前記芳香物体から放出されるとき、前記スタンドまたは前記ベースから機械的に持ち上げられる，先行請求項のいずれか１項に記載の芳香システム。
【請求項４９】
携帯芳香物体が、空気が前記芳香物体の上または中を通過し、前記芳香物体から芳香を吸い上げて周囲に放出することができるように、芳香が前記芳香物体から放出されるとき、前記スタンドまたは前記ベースから機械的に持ち上げられる、先行請求項のいずれか１項に記載の芳香システム。
【請求項５０】
携帯芳香物体が、前記スタンドまたは前記ベース内の空気ノズルまたは開口部と係合し、前記ノズルまたは前記開口部が、前記ファンまたは前記他の空気移動システムから前記携帯芳香物体内に空気を誘導する、先行請求項のいずれか１項に記載の芳香システム。
【請求項５１】
前記スタンドまたは前記ベース内の空気ノズルが、空気が前記携帯芳香物体を通してまたはその周りに吹き付けられると、前記ノズルを持ち上げて前記携帯芳香物体と係合させ、前記携帯芳香物体を通してまたはその周りに空気を吹き付けないようにすると、前記ノズルを係合から外す、支持物または部材に固定されている、先行請求項のいずれか１項に記載の芳香システム。
【請求項５２】
前記スタンドまたは前記ベース内の空気ノズルが、空気が前記携帯芳香物体を通して吹き付けられると、前記ノズルを持ち上げて前記携帯芳香物体と係合させる支持物または部材に固定され、前記空気ノズルまたは他のカムはまた、前記携帯芳香物体または前記携帯芳香物体の一部を持ち上げて、芳香性空気を前記携帯芳香物体から逃がすことを可能にする、先行請求項のいずれか１項に記載の芳香システム。
【請求項５３】
前記スタンドまたは前記ベース内の空気ノズルが、前記携帯芳香物体と係合していないとき、前記スタンドまたは前記ベースの上面と同一平面に配置される、先行請求項のいずれか１項に記載の芳香システム。
【請求項５４】
前記スタンドまたは前記ベース内の前記空気ノズルまたは前記開口部の周りの領域が、携帯芳香物体が前記ノズルまたは前記開口部に十分に近づくと自動的に点灯する、先行請求項のいずれか１項に記載の芳香システム。
【請求項５５】
スタンドまたはベースが、各芳香物体の下に光源を含み、特定の芳香物体用の前記ファンまたは前記空気移動システムが作動すると、前記光源が作動して、前記透明または前記半透明の殻を照らす、先行請求項のいずれか１項に記載の芳香システム。
接続機能
【請求項５６】
ユーザのスマートフォンで実行されているアプリを使用して、特定の芳香物体からの芳香の放出をプログラムする、先行請求項のいずれか１項に記載の芳香システム。
【請求項５７】
前記アプリが、ユーザが定義した将来の時間に、特定の芳香物体からの芳香の放出を制御するようにプログラムされる、先行請求項のいずれか１項に記載の芳香システム。
【請求項５８】
前記システムが、前記芳香物体の消費または使用を追跡し、交換する物体が必要になったときに自動的に前記ユーザに警告を出す、先行請求項のいずれか１項に記載の芳香システム。
【請求項５９】
前記システムが、前記芳香物体の前記消費または前記使用を追跡し、前記ユーザのスマートフォンで実行されているコンパニオンアプリにメッセージを送信することにより、交換する物体が必要になったときに自動的に前記ユーザに警告を出す、先行請求項のいずれか１項に記載の芳香システム。
【請求項６０】
前記システムが、前記芳香物体の前記消費または前記使用を追跡し、交換する物体が必要になったときに、前記ユーザ及び／またはリモートフルフィルメントサーバに自動的に警告を出し、フルフィルメントに要求（例えば、使用される前記ファンの強度に応じて変化する係数と共に、使用された合計時間、または合計時間）を自動的に送信し、次いで、前記ユーザに交換する芳香物体が送られるか、または他の方法で供給される、先行請求項のいずれか１項に記載の芳香システム。
【請求項６１】
前記システムが、ユーザが特に選択していない新しい芳香を自動的に導入して、前記ユーザが特定の芳香に鈍感になるリスクを最小限に抑える、先行請求項のいずれか１項に記載の芳香システム。
【請求項６２】
前記システムが、ユーザが特に選択していない新しいコーヒーの芳香を自動的に導入して、前記ユーザが異なる芳香に鈍感になるリスクを最小限に抑える、先行請求項のいずれか１項に記載の芳香システム。
【請求項６３】
異なる芳香物体が、作動させる前記芳香物体のみに特に関連するファンまたは空気移動システムを選択的に作動させることにより作動される、先行請求項のいずれか１項に記載の芳香システム。
【請求項６４】
各携帯芳香物体が、前記スタンドによって認識されるＲＦＩＤタグまたは他の形態の識別チップを含み、前記タグが、許可された芳香物体のみが前記スタンドで動作するように、芳香情報、製造情報またはバッチ情報、及びセキュリティキーを含み得る、先行請求項のいずれか１項に記載の芳香システム。
【請求項６５】
前記スタンドが、特定のＩＤチップに関連付けられた使用範囲（例えば、時間）の記録を作成または記憶し、芳香物体の予想される前記使用範囲または寿命を大幅に超えたＩＤチップを有する芳香物体では動作しない、先行請求項のいずれか１項に記載の芳香システム。
【請求項６６】
前記芳香システムが、部屋、オフィス、建物、車、バス、電車、飛行機、または任意の他の環境を芳香するように構成される、先行請求項のいずれか１項に記載の芳香システム。
芳香方法
【請求項６７】
上記で定義されるように、１つまたは複数の前記芳香物体から芳香を放出するように配置される１つまたは複数のファンまたは他の空気移動システムを含むスタンドまたはベース上に携帯芳香物体を配置するステップと、次いで、前記ファンまたは前記空気移動システムを作動させるステップとを含む部屋、建物、または他の環境に芳香を加える方法。
【請求項６８】
（ａ）上記で定義されるように、１つまたは複数の前記芳香物体から芳香を放出するように配置される１つまたは複数のファンまたは他の空気移動システムを含むスタンドまたはベース上に携帯芳香物体を配置するステップと、次いで、前記ファンまたは前記空気移動システムを作動させるステップと、
（ｂ）前記芳香物体の使用の程度を追跡することにより、前記芳香物体が耐用年数の終わりに近づいていることを自動的に判定するステップと、
（ｃ）アプリ及び／またはリモートフルフィルメントサーバに、交換する芳香物体の供給を求める要求を自動的に送信するステップとを含む部屋、建物、または他の環境に芳香を加える方法。
【発明の詳細な説明】
【技術分野】
【０００１】
本発明は、ファンアシスト式の芳香システムに関するものであり、このシステムは、部屋、家庭、車、オフィス、または他の環境内で芳香を提供することができる。
【背景技術】
【０００２】
家庭及び他の環境のための芳香システムは、典型的には、芳香性空気を運ぶために、その環境の空気の流れに依存しており、例えば、精油の瓶に入れられた多孔質のリードまたはスティック及び香料入りのろうそくは、部屋の芳香付けの一般的な方法である。しかし、それらは制御することが困難である非常に局所的な芳香のみを生成する。精油ディフューザも普及しており、これらは、ユーザが水で充填し、数滴の精油を水に加える水タンクを含み、小型の超音波噴霧器が、芳香性空気の細かい霧を生成する。これらのデバイスはオンとオフを切り替えることができるが、これらのディフューザに水及び精油を定期的に補充することは、やや面倒で不便なことがある。
【発明の概要】
【０００３】
本発明は、部屋、建物または他の環境のための芳香システムであり、このシステムは、（ａ）スタンドまたは他の形態のベース及び（ｂ）１つまたは複数の携帯芳香物体を含み、各携帯芳香物体は芳香を提供し、スタンドまたはベース上に置かれるように構成され、スタンドまたはベースは、１つまたは複数の芳香物体から芳香を放出するように配置される１つまたは複数のファンまたは他の空気移動システムを含む。
【０００４】
付録１では、主な機能のより包括的な概要を提供する。
【図面の簡単な説明】
【０００５】
以下の図を参照しながら、本発明の実施様態について説明する。
【０００６】
【図１】３つの携帯芳香物体がスタンド上に置かれた、本発明の実施態様の画像である。
【図２】携帯芳香物体の上面図、底面図、及び分解図である。
【図３】スタンド上に置かれた携帯芳香物体の断面図であり、空気経路を示す。
【図４】携帯芳香物体の断面図及び底面図である。
【図５】スタンドの図である。
【図６】ファンユニットを示し、図１に示すスタンドには３つある。
【図７】スタンドの分解図である。
【図８】スタンド上に置かれた携帯芳香物体の断面図である。
【図９】スタンドから持ち上げられた気流経路を示す携帯芳香物体の断面図である。
【図１０】スタンドに戻し置かれた携帯芳香物体の断面図である。
【図１１】コンパニオンスマートフォンアプリのスクリーンショットである。
【図１２】コンパニオンスマートフォンアプリのスクリーンショットである。
【図１３】コンパニオンスマートフォンアプリのスクリーンショットである。
【図１４】コンパニオンスマートフォンアプリのスクリーンショットである。
【図１５】コンパニオンスマートフォンアプリのスクリーンショットである。
【図１６】コンパニオンスマートフォンアプリのスクリーンショットである。
【図１７】コンパニオンスマートフォンアプリのスクリーンショットである。
【図１８】コンパニオンスマートフォンアプリのスクリーンショットである。
【図１９】コンパニオンスマートフォンアプリのスクリーンショットである。
【図２０】コンパニオンスマートフォンアプリのスクリーンショットである。
【図２１】スタンドまたはディフューザの内側の図で、３つのファンユニットを示す。
【図２２】スタンド／ディフューザの電子機器のシステムレベルの図である。
【図２３】スタンド／ディフューザ内のコントローラＰＣＢの回路図である。
【図２４】スタンド／ディフューザ内のモータ制御及びセンサマルチプレクサの回路図である。
【図２５】携帯芳香物体のＬＥＤ制御の概略図である。
【図２６】電源アーキテクチャの回路図である。
【図２７】ＲＦＩＤアンテナマルチプレクサの回路図である。
【図２８】ＰＣＢの形状及びスタンドへの配置の例である。
【図２９】モータ、ファン、気流ディレクタ、及び芳香物体を持ち上げるためのカムを含むファンユニットを示す。
【図３０】分解されたスタンドと組み立て済みの３つのファンユニットを示す。
【図３１】３つのファンユニットの分解図を示す。
【図３２】システムのＩＯＴアーキテクチャを示す。
【発明を実施するための形態】
【０００７】
本発明の一実施態様は、（ａ）スタンドまたは他の形態のベース及び（ｂ）１つまたは複数の携帯芳香物体を含む芳香システムであり、各携帯芳香物体は所望の芳香を提供し、スタンドまたはベース上に置かれるように構成され、スタンドまたはベースは、１つまたは複数の芳香物体から芳香を放出するように配置される１つまたは複数のファンまたは他の空気移動システムを含む。
【０００８】
図１は、ＺｅｎＡｕｒａ芳香システムと呼ばれる芳香システムの実施態様を示す。システムは、ベースの上に置かれた小石状または卵形の形をした３つの携帯芳香物体を有する。これらの物体は、本明細書では「パール」と呼ばれることがある。ベースは「ディフューザ」と呼ばれることもある。ベース内には、小石状の形をした芳香物体の下に１つずつ、３つの非常に静かな軸流ファンが配置されている。各ファンを作動させて、ファンの上に配置される芳香物体の上に空気を吹き付けることができ、各芳香物体内には、芳香が注入された基板、この場合は、芳香または芳香の混合物が注入されたＥＶＡ（エチレンビニルアセテート）マトリックスがある。３つの「パール」システムの異なる変形、例えば、単一の「パール」を通って空気を供給する単一のファンを有するスタンドなどが可能である。このシステムはＺｅｎＡｕｒａシステムと呼ばれる。
【０００９】
ＺｅｎＡｕｒａ芳香システムは美的なデザインを有しており、人目につかないようにする必要はなく、部屋の目立つ場所に置くことができ、これは効果的な芳香が可能であることを意味しており、あまり魅力的でないデバイスは、人目につかないようにされる傾向があり、その効果が低下してしまう。接続型デバイスでありながら、堅牢であり製造は低コストである。液体は一切使用しておらず、スティックを芳香油に入れて使用する従来のディフューザとは異なり、液体がこぼれることはない。電動ファンを使用しているため、室内の気流に頼らずに芳香を分散することができ、したがって、強い局所的な香りを生成する傾向があるが、その香りを部屋の中により広く分散させることができない従来の芳香ディフューザと比較して、部屋の中を広範囲に芳香させるのにはるかに効果的である。また、ファンの速度を上げることができるので、従来のディフューザではできなかった、部屋を急速に芳香させることが可能である。同様に、ファンをオフにすると、芳香させることを急速に停止させられる。ファンは、スタンドから、またはスマートフォンもしくはスマートウォッチなどのデバイスで実行されているアプリケーションから制御することができる。したがって、ユーザは、従来の芳香ディフューザではできなかった部屋の中への芳香の制御された放出を、急速及び容易に開始及び停止することができる。芳香システムは、関連する芳香物体に対してファンがどのくらいの時間、及びどのくらいの速度で作動されているかを自動的に追跡することができ、それにより、芳香されたＥＶＡマトリックスの交換が必要になる可能性が高いときにシステムを動作させることが可能になり、警告をコンパニオンアプリケーションに送信することができ、ユーザはコンパニオンアプリケーションを介して、郵便などの配達用の交換品を購入することが可能になる。
【００１０】
図２は、より詳細に芳香物体またはパールを示す。各パールはガラス体１で作製され、ガラス体１の上部にロゴ２が装飾されている。各ガラス体１内には、１つまたは複数の芳香が注入されたＥＶＡマトリックス４がある。ＥＶＡマトリックス４は、中央タワー２２を有するポリプロピレンベース４上にあり、その中央タワー２２は、ＥＶＡマトリックス４の円筒形の穴と係合する。パールの下側は２１で示され、これは、軸流ファンによって空気が吹き付けられる中央のチャンバを示す。マトリックス４は、接着リング６を使用してベース３に固定される。ＲＦＩＤタグ５は、マトリックス４の底部とベース４との間に挟まれ、ベースがパールを識別して認証できるようになり、本物以外のパールは認識され動作せず、パールが本物であることがＲＦＩＤタグとのハンドシェイクで示されない限り、ベースはパールのファンを作動させない。
【００１１】
ＥＶＡマトリックスの表面は、関連するファンから吹き付けられる空気に向けられる表面積を最大化し、次いで、その芳香性空気をパールから部屋の中に誘導するように形作られている。図３は、これをより明確に示している。パール３１のガラス殻は、ＥＶＡマトリックス３２の上にある。ＥＶＡマトリックス３２の下側は、深い流路、溝またはアーチを含む。これらは、ファンからの空気が通るＥＶＡマトリックスの表面積を最大化するように設計されており、空気３４はファンから高速でＥＶＡマトリックス３２の中心を通って流れる。次いで、空気３５は、マトリックス３２の曲線を付けて作られた表面の上を越えて流れ、次いで、パールのベースの穴を通ってパールの外へ出て、次いで、３６で完全に芳香システムの外に出る。ファンが作動すると、パール３１は取付部３８によってスタンド３９から持ち上げられ、これにより、スタンド３９とパール３１のベースとの間の隙間３７が露出し、隙間３７を通って芳香性空気３６が流れることができる。
【００１２】
図４は、ガラス体４３がＥＶＡマトリックス４４を囲み、ポリプロピレンベース４５が、ファンからの空気がパールの中へ通る中央穴、及びパールからの芳香性空気が通る流路４２を含む、パールを示す。
【００１３】
図５は、３つのパール（図示せず）用のスタンド５０を示す。スタンドの上部には、パールごとに空気ノズル５１、５２、５３がある。特定のパールに対してファンが作動しているとき、関連する空気ノズル５１、５２、５３がわずかに上昇して、芳香性空気が通る隙間（図３の３７）を提供する。各ノズル５１、５２、５３は光の輪を含み、その光は、（ＲＦＩＤベースの認証ハンドシェイクによって検出されるように）パールをノズルに近づけると（例えば、短い一連の光パルスが）作動し、これは、パールが認識されて、デバイスが作動中であり、そのパールを使用して動作することをユーザに示している。ファンが使用されている間、関連するノズルも点灯し、パールはガラス体を有しているため、ノズルからの照明がパールの本体を通過し、表面が光る。また、ノズルを自動的に上昇させ、パールのベースの中央開口部に係合させることができ、これにより、ユーザがノズル上のパールを正確かつ迅速に見つけることが可能になる。
【００１４】
図６は、パールごとの空気移動システムを示す。これは、ポリカーボネート製の空気ボックス６２内にある遠心送風ファン６１を含む。空気ボックス６２の上面６３は、空気ノズル６４を支持し、空気ノズル６４は、ファンが作動すると、カム６６の動作により持ち上げられる。次いで、空気ノズル６４の上面６５はパールをスタンドから持ち上げる。
【００１５】
図７は、スタンドの断面を示す。スタンドは、図６に示す１つまたは複数の空気移動システムを含む。スタンドは、ベース７２の上に置かれている上部プレート７１を含む。製品ロゴ７４を有するトリムパネル７３は、ベース７２とトッププレート７１との間に配置される。電源ケーブル（図示せず）の給電開口部の隣にある開口部７０内に、マスク７７を有するオンオフ電源ボタン７６が取り付けられている。製品ラベル７８は、ベース７２の下側に配置される。ベース７２には４つの脚部７９も設けられている。
【００１６】
図８、図９、及び図１０は、スタンド上にパールを有するスタンドの断面図である。図８は、スタンド上に置かれたガラスのパール８を示す。遠心ファン８１は作動していない。偏心駆動ピン８２は、ノズルのスロット内で延びて、その最下点にあり、図９に示すように、小型の駆動モータは、ファン８１が作動しているときに、パールをスタンドから持ち上げるために、ドライブピン８２をこの位置から持ち上げることができる。気流経路が図１０に示されており、遠心ファンによって吸い込まれた空気がスタンドのベースの穴を通って入る。ファンは、中央の空気ノズルを通して空気を吸い上げ、そこからパールの中心に吹き付ける。次いで、空気は、ＥＶＡマトリックス内の曲面を通過し、次いで、パールのベース及びスタンドの周囲の小さな隙間から、部屋の中へと流れる。
【００１７】
システムは、スタンド上の各パールの特定の芳香を表示するコンパニオンアプリケーションを有する、接続型システムである。アプリケーションはまた、ファンの速度を制御することができ、したがって、各パールによって放出される芳香の強度を制御することができる。図１１は、コンパニオンアプリケーションのスクリーンショットである。スクリーンショットは、リビングルーム、ベッドルーム、バスルームに接続された芳香システムがあることを示しており、図１１では、リビングルームの芳香システムが選択されている（画面上部にある「リビングルーム」という語句に下線が引かれている）。この画面では、ユーザは利用可能な３つのパール「ローズマリー及びセージ」、「オーキッド及びスプリングモス」、「西洋ナシ及びピンクローズ」のそれぞれの所望する強度を選択することにより、リビングルーム用の芳香の特定の混合物を作成している。「ローズマリー及びセージ」の強度はレベル５に設定されている。「オーキッド及びスプリングモス」の場合、ゼロに設定されている（そのため、関連するファンはまったく動作しない）。「西洋ナシ及びピンクローズ」の場合、強度はレベル５に設定されている。ユーザはこれに「Ｗａｋｅ  ｕｐ  ｍｉｘ」という名前を付けている。図１２は異なる選択を示し、今回は３つの芳香パールすべてがレベル５に設定されている。
【００１８】
図１３は、レベル５で１０分間動作させる特定のパールを選択するユーザに関連する画面を示す。
【００１９】
図１４は、レベル５で１０分間動作させる特定のパールの混合物を選択するユーザに関連する画面を示す。
【００２０】
図１５は、ユーザが作成したすべての芳香の混合物を（「Ｗａｋｅ  ｕｐ」、「Ｓｐｒｉｎｇ  Ｓｃｅｎｔｓ」などを含む「Ｍｙ  Ｍｉｘｅｓ」行の下に）一覧表示する画面を示す。アプリケーションは、以前にキュレートしたまたは作成した芳香の混合物も（「Ｍｉｎｔｙ」、「Ｗｉｎｔｅｒ」、「Ｍｉｎｄｆｕｌ」を含むＲｅｃｏｍｍｅｎｄｅｄ行の下に）表示する。（図１２に示すように）ユーザはこれらのいずれかを選択して、事前に設定された期間にすぐに作動させるように設定することができる。
【００２１】
さらに、ユーザはスケジュール、すなわち、事前に設定された芳香が発生する時間を作成、編集、選択することもできる。図１６では、ユーザがリビングルームの「Ｌａｚｙ  Ｗｅｅｋ」スケジュールを選択している。このスケジュールは、月曜日から金曜日の週の間の午前９時から午前１０時まで及び午後６時から午後８時までの芳香システムの自動動作を定義している。スライダボタン１３１は作動を示しているのに対して、週末のスライダボタン１３２は非作動になっている。図１７は、異なるスケジュールを示す。図１８は、特定の場所、及びその場所の芳香または混合物、ならびに芳香が作動するタイミングをユーザが手動で選択することを可能するメニュ画面を示す。図１９は、これらのタイミングが日記アプリケーションまたはカレンダアプリケーションに自動入力できることを示す。図２０は、芳香の強度をスケジュール画面からも設定できる方法を示している。
【００２２】
付録１
コア機能Ａ〜Ｊは、次のように一般化することができる。
【００２３】
芳香システム
Ａ．部屋、建物または他の環境のための芳香システムであり、このシステムは、（ａ）スタンドまたは他の形態のベース及び（ｂ）１つまたは複数の携帯芳香物体を含み、各携帯芳香物体は芳香を提供し、スタンドまたはベース上に置かれるように構成され、スタンドまたはベースは、１つまたは複数の芳香物体から芳香を放出するように配置される１つまたは複数のファンまたは他の空気移動システムを含む。
【００２４】
携帯芳香物体
Ｂ．携帯芳香物体は、芳香が注入された基板またはマトリックスを含み、物体は、スタンドまたはベース上に置かれるように、またはユーザによってスタンドまたはベース上に置かれるように構成され、スタンドまたはベース内に配置される１つまたは複数のファンまたは他の空気移動システムから吹き付けられた空気が、芳香が注入された基板を通過して、部屋、建物または他の環境に出ることができるように構成される。
【００２５】
Ｃ．携帯芳香物体は、滑らかな丸みのある小石または平坦な卵形のような形状であり、スタンドまたはベース上に置かれるように、またはユーザによってスタンドまたはベース上に置かれるように構成され、（ａ）芳香が注入された基板またはマトリックスを包含するかまたは覆う壁、及び（ｂ）基板またはマトリックスの外面と壁の内面との間に１つまたは複数の空気通路を有する。
【００２６】
Ｄ．（ａ）芳香が注入された基板またはマトリックスを包含するかまたは覆う壁を有する携帯芳香物体であり、マトリックスの基板は、流入空気にさらされる基板またはマトリックスの表面積を増やすために、ファンからの流入空気を基板またはマトリックス内の流路、溝、アーチまたは他の機能に誘導するように形作られた、または曲線を付けて作られた表面を有する。
【００２７】
Ｅ．携帯芳香物体は、芳香が注入された基板またはマトリックス、及び芳香物体を認証し、したがって、その芳香物体を使用してファンの操作を可能にするために、１つまたは複数のファンを含むベース、スタンドまたは他の種類のドックとデータを交換するＩＤチップまたはデバイス（ワイヤレスチップ、例えば、ＲＦＩＤチップなど）を含む。
【００２８】
Ｆ．携帯芳香物体は、芳香が注入された基板またはマトリックス、及び携帯芳香物体が十分に近いときにドック内の光または照明をトリガするために、１つまたは複数のファンを含むベース、スタンドまたは他の種類のドックとデータを交換するＩＤチップまたはデバイス（ワイヤレスチップ、例えば、ＲＦＩＤチップなど）を含む。
【００２９】
Ｇ．携帯芳香物体は、芳香が注入された基板またはマトリックス、及びドックから上昇するようにノズルまたは開口部をトリガするために、１つまたは複数のファンを含むベース、スタンドまたは他の種類のドックとデータを交換するＩＤチップまたはデバイス（ワイヤレスチップ、例えば、ＲＦＩＤチップなど）を含み、物体は、ノズルまたは開口部と係合するように構成される。
【００３０】
Ｈ．（ａ）芳香が注入された基板またはマトリックスを包含するかまたは覆う壁、及び（ｂ）基板またはマトリックスの外面と壁の内面との間に１つまたは複数の空気通路を有する携帯芳香物体であり、空気通路は、基板またはマトリックスに誘導されたファンから吹き付けられる流入空気を取り込み、基板またはマトリックスの上を通過させ、その空気に芳香を加え、次いで、空気を芳香物体からダクトで排出するように配置される。
【００３１】
芳香方法
Ｉ．方法は、上記で定義されるように、１つまたは複数の芳香物体から芳香を放出するように配置される１つまたは複数のファンまたは他の空気移動システムを含むスタンドまたはベース上に携帯芳香物体を配置するステップ、次いで、ファンまたは空気移動システムを作動させるステップを含む部屋、建物、または他の環境に芳香を加える。
【００３２】
Ｊ．方法は、
（ａ）上記で定義されるように、１つまたは複数の芳香物体から芳香を放出するように配置される１つまたは複数のファンまたは他の空気移動システムを含むスタンドまたはベース上に携帯芳香物体を配置するステップ、次いで、ファンまたは空気移動システムを作動させるステップ、
（ｂ）芳香物体の使用の程度を追跡することにより、芳香物体が耐用年数の終わりに近づいていることを自動的に判定するステップ、
（ｃ）アプリ及び／またはリモートフルフィルメントサーバに、交換する芳香物体の供給を求める要求を自動的に送信するステップを含む部屋、建物、または他の環境に芳香を加える。
【００３３】
任意選択機能。それぞれは、１つまたは複数の他の任意選択機能、及び上述のコア機能Ａ〜Ｊのいずれかと組み合わせることができる。
【００３４】
芳香物体機能
●  携帯芳香物体は、通常の使用では、ファンまたは他の空気移動システムに接続された空気ノズルと係合するように、ユーザによってスタンドまたはベース上に置かれる。
【００３５】
●  携帯芳香物体は、ファンまたは他の空気移動システムの出口に対して正確に位置決めするスタンドまたはベース内の空気ノズルまたは他の取付部と機械的に係合する。
【００３６】
●  携帯芳香物体は、スタンドまたはベース上にしっかりと置かれ、スタンドまたはベースに密着するように重み付けされている。
【００３７】
●  携帯芳香物体は、物体からの芳香の実質的な漏出を防ぐための十分な密着性により、物体がスタンドまたはベースに確実に接触するために十分な重さを有する。
【００３８】
●  携帯芳香物体は、スタンドまたはベース内のファンまたは他の空気移動システムから出てくる空気が携帯芳香物体に流入し、通過することを可能にするように構成される１つまたは複数の空気孔を含む。
【００３９】
●  携帯芳香物体は、スタンドまたはベースの中または上に置くように構成されるベースを有し、湾曲した上面を有する。
【００４０】
●  携帯芳香物体は、一般に、４ｃｍ〜１０ｃｍの長さの間の最長寸法を有する滑らかな表面の小石サイズの物体である。
【００４１】
●  携帯芳香物体は、高さ３０ｍｍ〜１００ｍｍの間、幅２０ｍｍ〜８０ｍｍの間であり、一実施態様では、高さが約７０ｍｍ及び幅が５０ｍｍである。
【００４２】
●  携帯芳香物体は、硬質で滑らかな外殻を有する。
【００４３】
●  携帯芳香物体は、硬質の外部ガラスもしくは透明または半透明の殻を有する。
【００４４】
●  携帯芳香物体は、エンドユーザが物体内部の芳香貯蔵部に触れないように保護する外殻を有する。
【００４５】
●  携帯芳香物体は、芳香を含浸させたＥＶＡ物体などの単一のポリママトリックス物体を含む。
【００４６】
●  携帯芳香物体は、芳香を含浸させたＥＶＡ（エチレンビニルアセテート）などのポリママトリックスを囲む透明または半透明の殻を有する。
【００４７】
●  携帯芳香物体は、芳香を含浸させた単一の物体を含む。
【００４８】
●  携帯芳香物体は、芳香を含浸させた単一のＥＶＡベースまたは他のマトリックスを含む。
【００４９】
●  携帯芳香物体は、１０ｍＬ〜５０ｍＬの間の実際のＥＶＡの体積を有する。
【００５０】
●  ＥＶＡまたはマトリックスは、２０ｍｍ×１０ｍｍ×５ｍｍと８０ｍｍ×６０ｍｍ×４０ｍｍとの間であり、一実施態様では、約５８ｍｍ×４０ｍｍ×１６ｍｍであり、ＥＶＡの実際の体積は、約２０ｍＬまたは２０ｃｍ３である。
【００５１】
●  新品時のマトリックスの表面積は２０００ｍｍ２〜２００００ｍｍ２の範囲である。
【００５２】
●  携帯芳香物体は、物体内の出口開口部を密封するユーザの取り外し可能なシールを含み、製造時から、ならびに輸送中及び保管中に存在する。
【００５３】
●  携帯芳香物体は、香りの混合で構成される単一の所望の芳香を提供する。
【００５４】
●  それぞれ異なる芳香を有する異なる携帯芳香物体を作動させ、芳香の異なる組み合わせを生成することができる。
【００５５】
●  それぞれ異なる芳香を有する異なる携帯芳香物体を異なる時間で作動させて、必要な時間に異なる組み合わせの芳香を生成することができる。
【００５６】
スタンド内のファン機能
●  各携帯芳香物体のスタンドまたはベース内には、単一のファンまたは空気移動システムが設けられている。
【００５７】
●  各携帯芳香物体のスタンドまたはベース内に設けられた単一のファンまたは空気の移動は、それぞれの芳香物体からの芳香が必要なときに作動する。
【００５８】
●  各携帯芳香物体のスタンドまたはベース内に設けられた単一のファンまたは空気移動システムは、時系列的に作動する。
【００５９】
●  各携帯芳香物体のスタンドまたはベース内にそれぞれ設けられた２つ以上のファンまたは空気移動システムが同時に作動する。
【００６０】
●  １つまたは複数のファンまたは空気移動システムは、スマートフォンまたは他のデバイスで実行されているアプリを使用して作動される。
【００６１】
●  軸流ファンまたは遠心分離機は、各携帯芳香物体の下に配置されている。
【００６２】
●  ケースを含む遠心ファンのファン直径サイズは、４０ｍｍ〜６０ｍｍの範囲内で、一実施様態では５１ｍｍである。
【００６３】
●  ファンまたは各ファンに対する空気移動システムのピーク風量は、０．０２〜０．１２ｍ３／ｍｉｎの間で、一実施様態では、０．０６ｍ３／ｍｉｎまたは２．１ＣＦＭである。
【００６４】
●  各ファンまたは空気移動システムの騒音レベルは、自由大気中で平均２６ｄＢである。
【００６５】
●  携帯芳香物体自体には、ファンまたは空気移動システムは含まれていない。
【００６６】
●  システムは、スタンド上に置かれた１つ、２つ、３つ、４つ、または５つの芳香物体を含む。
【００６７】
●  スタンドは、商用電源で電力供給される。
【００６８】
●  スタンドは、基本的に立方体の形である。
【００６９】
●  スタンドは、一般に１つまたは複数の携帯芳香物体を受け入れるように構成される平坦な上面を有する。
【００７０】
●  スタンドは、持ち運び可能である。
【００７１】
●  スタンドは、自動車のダッシュボードなどのデバイスに組み込まれる。
【００７２】
芳香物体の作動
●  ユーザは、芳香物体を手に取ってスタンドに戻し、その芳香物体用のファンまたは空気移動システムを作動させる。
【００７３】
●  ユーザがスタンドから芳香物体を手に取ると、その特定の芳香物体用のスタンド内の空気ノズルが持ち上げられる、または持ち上げられたままとなり、ユーザが持ち上げられたノズルの上に芳香物体を置くように芳香物体をスタンドに戻すと、その芳香物体が作動することを示す。
【００７４】
●  携帯芳香物体は、芳香が芳香物体から放出されるとき、スタンドまたはベースから機械的に持ち上げられる。
【００７５】
●  携帯芳香物体は、空気が芳香物体の上または中を通過し、芳香物体から芳香を吸い上げて周囲に放出することができるように、芳香が芳香物体から放出されるとき、スタンドまたはベースから機械的に持ち上げられる。
【００７６】
●  携帯芳香物体は、スタンドまたはベース内の空気ノズルまたは開口部と係合し、ノズルまたは開口部は、ファンまたは他の空気移動システムから携帯芳香物体内に空気を誘導する。
【００７７】
●  スタンドまたはベース内の空気ノズルは、空気が携帯芳香物体を通してまたはその周りに吹き付けられると、ノズルを持ち上げて携帯芳香物体と係合させ、携帯芳香物体を通してまたはその周りに空気を吹き付けないようにすると、ノズルを係合から外す、支持物または部材に固定されている。
【００７８】
●  スタンドまたはベース内の空気ノズルは、空気が携帯芳香物体を通して空気を吹き付けられると、ノズルを持ち上げて携帯芳香物体と係合させる支持物または部材に固定され、空気ノズルまたは他のカムはまた、携帯芳香物体または携帯芳香物体の一部を持ち上げて、芳香性空気を携帯芳香物体から逃がすことを可能にする。
【００７９】
●  スタンドまたはベース内の空気ノズルは、携帯芳香物体と係合していないとき、スタンドまたはベースの上面と同一平面に配置される。
【００８０】
●  スタンドまたはベース内の空気ノズルまたは開口部の周りの領域は、携帯芳香物体がそのノズルまたは開口部に十分に近づくと自動的に点灯する。
【００８１】
●  スタンドまたはベースは、各芳香物体の下に光源を含み、特定の芳香物体用のファンまたは空気移動システムが作動すると、光源が作動して、透明または半透明の殻を照らす。
【００８２】
接続機能
●  ユーザのスマートフォンで実行されているアプリを使用して、特定の芳香物体からの芳香の放出をプログラムする。
【００８３】
●  アプリは、ユーザが定義した将来の時間に特定の芳香物体からの芳香の放出を制御するようにプログラムされる。
【００８４】
●  システムは芳香物体の消費または使用を追跡し、交換する物体が必要になったときに自動的にユーザに警告を出す。
【００８５】
●  システムは、芳香物体の消費または使用を追跡し、ユーザのスマートフォンで実行されているコンパニオンアプリにメッセージを送信することにより、交換する物体が必要になったときに自動的にユーザに警告を出す。
【００８６】
●  システムは、芳香物体の消費または使用を追跡し、交換する物体が必要になったときに、ユーザ及び／またはリモートフルフィルメントサーバに自動的に警告を出し、フルフィルメントに要求（例えば、使用されるファンの強度に応じて変化する係数と共に、使用された合計時間、または合計時間）を自動的に送信し、次いで、ユーザに交換する芳香物体が送られるか、または他の方法で供給される。
【００８７】
●  システムは、ユーザが特に選択していない新しい芳香を自動的に導入して、ユーザが特定の芳香に鈍感になるリスクを最小限に抑える。
【００８８】
●  システムは、ユーザが特に選択していない新しいコーヒーの芳香を自動的に導入して、ユーザが異なる芳香に鈍感になるリスクを最小限に抑える。
【００８９】
●  異なる芳香物体は、作動させる芳香物体のみに特に関連するファンまたは空気移動システムを選択的に作動させることにより作動される。
【００９０】
●  各携帯芳香物体は、スタンドによって認識されるＲＦＩＤタグまたは他の形態の識別チップを含み、タグは、許可された芳香物体のみがスタンドで動作するように、芳香情報、製造情報またはバッチ情報、及びセキュリティキーを含み得る。
【００９１】
●  スタンドは、特定のＩＤチップに関連付けられた使用範囲（例えば、時間）の記録を作成または記憶し、芳香物体の予想される使用範囲または寿命を大幅に超えたＩＤチップを有する芳香物体では動作しない。
【００９２】
●  芳香システムは、部屋、オフィス、建物、車、バス、電車、飛行機、または任意の他の環境を芳香するように構成される。
【００９３】
付録２  ＺｅｎＡｕｒａハードウェア仕様
【００９４】
１  主なシステム構成要素
【００９５】
ＺｅｎＡｕｒａシステムは、パールと呼ばれる芳香の容器の配置を支持するディフューザと呼ばれるプラットフォームまたはスタンドに基づいている。
【００９６】
１．１  パール
パールは、以下で構成される。
●  ガラス製化粧品容器
●  芳香が注入された基板であるパック
●  基板の周りに空気の流れを誘導する役割も果たす基板用のプラスチックホルダ
●  識別目的のためのＩＳＯ１４４４３Ａ  １３．５６Ｍｈｚ  ＲＦＩＤインレイタイプ２タグ
【００９７】
１．２  ディフューザ
ディフューザは、見た目に美しい運び台であり、次の基本的な機能を実行する。
●  スマートフォン及びウェブに接続するＷｉＦｉデバイスとして機能する。
●  パールの存在を検出し、そのＲＦＩＤタグを読み取り、データをクラウドに転送する。
●  パール（複数可）に空気の流れを作り、パールに含まれている芳香を拡散させる。
●  パール（複数可）を上下させて、パールの周りに気流を作る。
●  パール（複数可）に光を当てる。
【００９８】
３種類のディフューザが利用可能である。
１．単一のパールディフューザ
２．３つのパールディフューザ
３．５つのパールディフューザ
【００９９】
図２１は、３つのパールディフューザの内部を示す。
【０１００】
ディフューザの電子機器のシステムレベル図を図２２に示す。ＷｉＦｉ、ＲＦＩＤ、及びインターフェイスチップを有するメインＰＣＢ、スイッチ及びバレルコネクタを有する単純な電源入力ＰＣＢ、及び各パールステーションに関連付けられた構成要素、すなわち、ＲＦＩＤアンテナ、ＬＥＤ、モータ、及びファンで構成される。
【０１０１】
２  ディフューザまたはスタンド
【０１０２】
２．１  コントローラＰＣＢＡ機能の説明
中央のパールステーションにはコントローラＰＣＢが取り付けられている。図２３に示すように、個々のパールステーション内のスイッチＰＣＢＡ、及びモータ、ファン、及びＬＥＤを除くシステムのすべての電子機器が含まれる。コントローラＰＣＢＡは以下の機能を果たす。
●  ＷｉＦｉインターフェイス
●  ＷｉＦｉプロビジョニング
●  ＷｉＦｉセキュリティ
●  ＯＴＡソフトウェアアップグレードＭＱＴＴデコーダ
●  スイッチ及びＬＥＤ制御
●  ＲＦＩＤタグによるパールの情報収集
●  個々のパールステーション内のＬＥＤ、モータ、ファンの動作を制御する
【０１０３】
２．１．１  ＷｉＦｉ
ＷｉＦｉは、ＰＣＢ上に直接配置されるチップとして実装され得る。アンテナもＴＩの推奨に従ってＰＣＢ上に配置される。ＷｉＦｉ回路は、ＲＦが他の回路によって干渉されず、アンテナがディフューザの前面がはっきりと「見える」ように配置すべきである。ＷｉＦｉ信号を過度に減衰させないように、ケース及びベゼルで使用されている材料を考慮する必要がある。
【０１０４】
２．１．２  パールステーションへの接続
モータ及びファン信号用コネクタは、３つのステーションすべてのケーブルを短くして、すべて同じ長さになるように配置する必要がある。
【０１０５】
２．１．３  モータ信号
ＭＣＵは、ステッピングモータの位相信号を生成する。これらは、特定のＨブリッジドライバによってバイポーラ信号に変換される。一度に１つのモータを駆動するだけでよく、これは、単一のドライバチップの出力が、システム内のすべてのモータを制御するために使用され得ることを意味する。信号は、アナログスイッチまたはＦＥＴを使用して個別に制御することができる。逆ＥＭＦ及びこれが引き起こす可能性のある損傷を考慮すべきである。これには、プロセッサからのＧＰＩＯの使用が少なくなるという利点もある。
【０１０６】
各モータの位置は、カムの動きによって遮断されるＩＲスイッチによって決定される。図２４に示すように、回路を節約するために、３つすべてのＩＲスイッチからの出力は、再びＦＥＴまたはアナログスイッチを使用して、プロセッサ上のＡ／Ｄ入力に多重化される。
【０１０７】
２．１．４  ＬＥＤ信号
ＬＥＤのバッファは、単純なトランジスタとすることができる。これは、１つのＰＷＭ信号を使用して、３つすべてのパールステーションのドライバ上のＬＥＤの可変輝度を制御することを意図している。ただし、個別にそれぞれをオフにするためのスイッチが必要である。図２５にこれを示す。
【０１０８】
２．１．５  ファン信号
各ファンは、速度を個別に制御する必要がある。この場合も、ファン自体を駆動するには、単純なトランジスタバッファで十分である。ファンはかなりの慣性及び逆起電力を有しており、すなわち、電源をＰＷＭ制御してファンの速度を正確に制御することが難しいということに留意されたい。個別のＰＷＭ信号を有する４線式ファンが必要な場合があるが、これらはより高価になる可能性がある。
【０１０９】
２．１．６  電源
電源入力は、外部幹線から電源ＰＣＢを介してＤＣ電源に供給される。電力はデジタル回路用に下方調節する必要があり、ファン及びモータにも供給される。モータ及びファンによって生成される電気ノイズがＲＦＩＤリーダ及びＲＦ、ならびにＷｉＦｉコントローラ及びＲＦなどのより敏感な電子部品に悪影響を及ぼさないように、レイアウト及びデカップリングは慎重に考慮する。可能な電源アーキテクチャを図２６に示す。
【０１１０】
２．１．７  電池
１８６５０または同様のリチウムイオン電池をディフューザに設置することができるようにすべきである。電池には、電池の充電ならびにその出力をファン及びモータを含む必要な様々な電源にアップコンバートする必要があるＰＭＩＣが必要である。
【０１１１】
電池電圧は、電池の充電状態の概算を示すために、プロセッサへのＡ／Ｄ入力に供給されるべきである。システムには、ＲＴＣを維持するためのボタンセルも必要である。電流は、ディフューザが電源に接続されていない場合、または充電式電池が切れている場合にのみ、ボタンセルから引き出されるべきである。
【０１１２】
２．１．８  ＲＦＩＤ
図２７に示すように、各パールのＲＦＩＤアンテナは、３つのパールステーションをカバーするように拡張されたメインＰＣＢ上に配置される。
【０１１３】
単一のＲＦＩＤリーダチップが、各アンテナへのＲＦ接続を多重化することにより、３つのパールステーションすべてを読み取ることができることが望まれる。使用される可能性のある特定のＲＦマルチプレクサがあるが、アナログスイッチも使用するために必要な帯域幅を有しているべきである。これらは、特定のＲＦチップよりもはるかに安価で、容易に入手することができる。ＰＣＢ上のトラックのレイアウトは、優れた設計を実現するために重要である。ＲＦ信号は、制御されたインピーダンストラックとしてレイアウトし、同軸ケーブルをシミュレートすべきである。ノイズの多いデジタル信号は、ＲＦルーティングから十分に離すべきである。ＲＦＩＤアンテナは、接地面から十分に離すべきである。マルチプレクサは、回路に整合するもので、ＲＦＩＤ周波数において最小の注入損失及び反射減衰量を有するべきである。
【０１１４】
２．１．９  Ａｐｐｌｅコプロセッサ
ＡｐｐｌｅコプロセッサはＰＣＢ上に配置されるが、現在の計画では取り付けられない。
【０１１５】
２．１．１０  ＰＣＢ
メインコントローラＰＣＢは、ディフューザで水平に固定されるように配置すべきである。これにより、ＲＦＩＤアンテナを組み込むことができる。ＰＣＢの形状と配置の実施例を図２８に示す。
【０１１６】
レイアウトには４つの層が必要になると予想される。
●  仕上げは置換金めっきになる。
●  厚みは１．６ｍｍになる。
●  銅は０．５オンスまたは１オンスの場合がある。
【０１１７】
２．２  コントローラＰＣＢＡ主要構成要素
2021501870.tif 000003
【０１１８】
２．３  マイクロコントローラＩ／Ｏ
2021501870.tif 000004
【０１１９】
２．４  電源及びスイッチＰＣＢＡへの信号
2021501870.tif 000005
【０１２０】
２．５  電源及びボタンＰＣＢＡ
以下を含む小型ＰＣＢＡがある。
●  主電源スイッチ
●  電源コネクタ
●  ＬＥＤ（赤）
●  コントローラＰＣＢに電力を転送するコネクタ
【０１２１】
２．５．１  実施態様
電源ＰＣＢは、電源入力の近くのディフューザケース上に取り付けられる。電源スイッチからの出力は、ＭＣＵ上のＧＰＩＯに供給される。
【０１２２】
電力スイッチは、以下の通りである。
●  ボタンを短く押す  ディフューザをスタンバイモードと作動モードとの間で切り替える。
●  ボタンを長く押す  プロビジョニングモード
輸送中、プロセッサはＭＣＵシャットダウンモードになり、ＮＷＰはネットワーク無効モード（ｎＲＥＳＥＴ  ｌｏｗ）になることに留意されたい。この状態でボタンを押すと、ディフューザがプロビジョニングモードになる。
【０１２３】
３  パールファンステーション
図２９にパールファンステーションの概略図を示す。正面にはモータとウォームギア、下にはファンが見える。図３０は、３つのファンステーションがどのように結合されて、スタンド３００及びベース３０１の上部の下にある内部シャーシアセンブリを形成するかを示す。図３１は示す。
【０１２４】
３．１  パールステーション構成要素
図３１は、各パールステーションが以下のものを有する様子を示す。
●  モータ３１２
●  ＬＥＤ  ＰＣＢＡ
●  遠心ファン３１４
●  ノズル３１０を上昇させるためのカムまたは偏心ドライブ３１１
●  ファンからパールに気流を誘導するための機構である、一体型ファンダクト及びノズル走行溝を有するシャーシ成形３１３
【０１２５】
３．２  ステッピングモータ
ステッピングモータは、パールをコマンドで上下させる必要がある。これは、カムの慣性を克服するのに十分なトルクを提供するように調整される。
【０１２６】
３．３  ファン
●  ファンは、２５ｋＨｚ以上のコントローラＰＣＢからのＰＷＭ信号によって制御される。
●  ファンは２線式、すなわち、タコメータなしになる。
●  ファンは、大きな部屋に香りを分散させるのに十分静かで強力なものであるべきである。
【０１２７】
空気の流れを考慮するべきである。ファンは、パール及びパールステーションを通して空気を押し出す方が良いのか、吸い込む方が良いのか。空気が静かに効率的に吸い込まれるように、ディフューザのベースに十分な隙間があるか。
【０１２８】
３．４  ＲＦＩＤアンテナ
ＲＦＩＤアンテナは、メインコントローラＰＣＢ上に配線される。アンテナの配線はインピーダンス制御され、同軸ケーブルのように機能すべきである。
【０１２９】
３．５  モータ位置検出
コントローラは、定期的にモータと再同期するために、モータの位置を把握する必要がある。これは、モータによって駆動されるカムの動きによって遮断されるＩＲ  ｔｘ／ｒｘペアの使用によって行われる。これにより、ＭＣＵ上のＡ／Ｄ入力が供給される。
【０１３０】
付録３  ＺｅｎＡｕｒａ  ＩｏＴシステム
この付録３は、ＺｅｎＡｕｒａ  ＩｏＴシステムの最上位要件の説明及び、実際のＲＦＱの一部であるプロジェクトの様々なフェーズの定義の両方として機能する。
【０１３１】
４  主なシステム構成要素
【０１３２】
４．１  製品
パールと呼ばれる、ＲＦＩＤタグが取り付けられた芳香の容器である。パールは消耗品であり、一定の使用期間、例えば、一般的なユーザの場合は１か月が経過した後に交換する必要がある。
【０１３３】
パールには様々な種類がある。パールの製造中に、パールの種類はタグＵＩＤと照合され、ＩｏＴクラウドデータベースにアップロードされる。
【０１３４】
４．２  デバイス
ディフューザと呼ばれ、１つ、３つ、または５つのパールを配置することができる。デバイスは以下を有する。
●  各アンテナが、アンテナの上に配置されるパールのタグのＵＩＤ（一意のＩＤ）を読み取ることができる、１つ、３つ、または５つのＲＦＩＤアンテナ。
●  明るさが０〜１００で制御することができる、パールの位置ごとのＬＥＤ。
●  速度が０〜１００で制御することができる、パールの位置ごとにファン。
●  クラウドへのＷｉＦｉ接続
●  パールを登録し、ＬＥＤ及びファンを制御してパールを「作動」させるプロセッサ。ファンの速度で芳香の放出を制御する。
【０１３５】
デバイスは、パールの存在を検出し、ＵＩＤをＩＯＴクラウドコントロールに送信する役割を果たす。
【０１３６】
４．３  アプリ
アプリは、ユーザとＩｏＴクラウド及びユーザとデバイスを接続する。アプリは以下の機能を有する。
●  ユーザをシステムにログオンさせる。
●  ディフューザのＷｉＦｉプロビジョニングを開始する。
●  ディフューザ上に配置されるパールの種類をユーザに示す。
●  ディフューザ上に配置されるパールを制御する、すなわち、ユーザコマンドの下でパールを作動させる。
●  ユーザがパールを「作動」させるスケジュールを設定することを可能にする。
●  編集部の情報をダウンロードできるようになっている。
●  Ｓｈｏｐｉｆｙなどのウェブベースの商用購入システムへのウェブページアクセスを介して、より多くのパール及びディフューザを購入することを可能にする。
【０１３７】
４．４  ＩｏＴシステム
●  アプリとディフューザとの間のメッセージのパブリッシャとして機能する。
●  製造されたすべてのパール及びディフューザのデータベースを保持する。
●  すべてのパール及びディフューザのリアルタイムの状態を保持する。
●  パール及びディフューザに宛てられたすべてのコマンドのリストを保持する。
●  ディフューザ上で行わせる動作を有効にする。
●  パール及びディフューザ上でルールを実行できるようにする。
●  システムの使用状況及びユーザの行動を調査して、マーケティング目的の分析を提供できるようにする。
●  顧客の詳細、クレジットカード、ログインなどを保持するＣＲＭシステムへのインターフェイス。
●  必要に応じて、ＯＴＡダウンロードを開始するメッセージを発行する。
【０１３８】
４．５  ウェブページ
●  クレジットカード、パスワードなどを含むユーザログイン及び詳細設定。
●  ディフューザの制御が可能になるが、一般的にディフューザの制御に使用されることは想定されていない。
●  製品のマーケティング資料を保持し、Ｚｅｎａｕｒａ  Ｌｔｄのビジネスプレゼンスを提供する。
【０１３９】
４．６  汎用サーバ
●  サーバはアプリ及びウェブページにダウンロードされるマーケティング情報を保持する。
●  ＯＴＡダウンロード用のディフューザソフトウェアアップデートを保持する。
【０１４０】
５  現在のＩｏＴプラットフォーム
【０１４１】
５．１  物体
現在のプラットフォームは以下の物体の概念を有する。
●  ディフューザ
●  パール
●  ユーザ
●  アプリ／電話機
【０１４２】
５．２  ディフューザ及びパールデータベース
異なる種類のディフューザ及びパールがあることに留意されたい。ディフューザ及びパールの物体は、製造業者からシステムに何らかのデータベース、おそらくＣＳＶファイルのみをインポートすることによって製造されるときに設定される。インポートされると、一意のＩｏＴ  ＩＤが割り当てられる。
【０１４３】
ディフューザのデータベースは、以下を含む。
●  ディフューザのシリアル番号
●  ディフューザのＭＡＣアドレス
●  ディフューザの種類
●  ハードウェアバージョン
●  ソフトウェアバージョン
●  製造日
●  動作時間
●  ユーザ名（ユーザによって割り当てられるまでは「Ｚｅｎａｕｒａ」である）
【０１４４】
パールのデータベースは、以下を含む。
●  一意のＩＤ
●  パールの種類
●  パール芳香の種類
●  製造日
●  芳香バッチ番号
●  使用量（強度ｘ時間）
ユーザは、アプリまたはウェブサイトに初めてログインするときに設定される。
【０１４５】
５．３  コレクション
これらの物体は使用されると、一意のＩｏＴ  ＩＤによって論理的にリンクされたコレクションに入れられる。プロセスは次のようになる。
【０１４６】
１．ユーザがディフューザ（複数可）／パール（複数可）を購入し、アプリをダウンロードする。
２．ユーザは、最初にサインインしたとき、一意のＩｏＴ  ＩＤが割り当てられる。
３．ユーザはアプリを使用してディフューザをプロビジョニングする。ＩｏＴシステムは、ユーザだけがディフューザの設定を調整できるように、一意のＩｏＴ  ＩＤを介してディフューザ及びユーザをリンクする。
４．ＩＯＴデータベースは、ディフューザがプロビジョニングされ、そのユーザ／アプリに割り当てられていることをアプリに通知する。
５．ユーザは、ディフューザに名前、例えば、寝室または食堂などを割り当てることができる。この名前はＩｏＴシステムによって取り込まれる必要がある。もちろん、１人のユーザ／１つのアプリは、購入した数だけディフューザを制御することができる。
６．次いで、ユーザはディフューザにパールを配置する。ディフューザは、ＲＦＩＤを介してＵＩＤを読み取り、ＩｏＴシステムにＵＩＤを報告する。
７．ＩｏＴシステムは、ディフューザ及びその上のパールをリンクする。ＩｏＴシステムは、パールがディフューザに配置される（または取り外された）こと、及びそれがどのような種類のパールであるかをアプリに通知する。
【０１４７】
パールのＭＡＣアドレス及びＵＩＤは、製造されたデータベースと照合して確認する必要があることに留意されたい。それらが存在しないか、またはすでに使用されているというフラグが立っている場合は、これをＺｅｎａｕｒａに強調表示する必要がある。ディフューザを、複数のアプリ／ユーザによって制御することを可能にする必要があることに留意されたい。これを行うための機構は、後の段階で決定することができる。
【０１４８】
５．４  動作
動作は、システムの品質を伝えるために、できるだけ少ない遅延で実施されるべきである。例えば、ユーザがアプリで作動を押した場合、ディフューザ上で結果として生じる動作は１秒以内に発生すべきである。例：作動／停止動作
１．アプリ／ユーザは、ファンの強度、オンになっている時間を設定し、作動を押すことによってパールを「作動」させる。
２．ＩｏＴシステムが、作動要求及び詳細をディフューザに通知することにより、ディフューザは作動する。
３．ユーザ／アプリの「停止」により、当然、パールのファン及びＬＥＤの強度は０に設定される。
【０１４９】
またはディフューザソフトウェア更新動作
●  Ｚｅｎａｕｒａは更新の範囲を、例えば、ユーザ別、ディフューザ別、既存のディフューザソフトウェアバージョン別、またはすべてに定義する。
●  Ｚｅｎａｕｒａはドロップボックスサーバにソフトウェア更新を配置する。
●  Ｚｅｎａｕｒａは更新要求を発行し、特定の時間に更新を予約する。
●  ＩｏＴシステムは、ソフトウェアの更新を行う必要があることを関連するディフューザに通知する。
●  ディフューザにより、ＩｏＴシステムに対して更新されたソフトウェアが示される。
【０１５０】
すべての動作は、今後の分析のためにシステムに永続的に記録されるべきである。
【０１５１】
５．５  ダッシュボード
ディフューザ、ユーザ、パールの状態を簡単に表示するには、Ｚｅｎａｕｒａが表示するために利用できるダッシュボードが必要である。ダッシュボードには、物体の一意のＩＤ及びその状態が示される。例えば、ディフューザは以下のものを示すべきである。
●  ディフューザの一意のＩｏＴ  ＩＤ（ＵＩｏＴＩＤ）。
●  ディフューザ上のパールのＵＩｏＴＩＤ。
●  現在の状態、例えば、各ファンの作動強度、各ＬＥＤの明るさ、各ＲＦＩＤアンテナ上のパールの種類。
●  ディフューザが現在ＩｏＴシステムに接続されているかどうか（これは、およそ１分間に１回のｐｉｎｇ機構を必要とする）。
●  所有者（アプリ／ユーザ）のＵＩｏＴＩＤ。
【０１５２】
６  ＡＷＳ  ＩｏＴプラットフォーム
ＲＦＱは、ＡＷＳ  ＩＯＴプラットフォームに基づく同様のシステムを実装することになる。
【０１５３】
６．１  ＡＷＳリソース名
ＡＷＳのすべてにＡＲＮが割り当てられる。アプリ及びディフューザは、通信先のアイテムのＡＲＮによって決定されるエンドポイントと通信する。例えば、ディフューザＡＲＮは次のようになり得る。
「ａｒｎ：ａｗｓ：ｉｏｔ：ｕｓ−ｅａｓｔ−１：１２３４５６７８９０１２：ｔｈｉｎｇ／ｄｉｆｆｕｓｅｒ３Ａ＿１２３４５６７８９ａｂｃ」
【０１５４】
６．２  デバイスデータベース
少なくとも２つのデータベースがクラウド内で維持され、１つはディフューザ用で、もう１つはパール用である。ディフューザまたはパールバッチが製造された後、関連するクラウドデータベースは、ＵＩＤ及びその後のモノの生成に関連する任意のその他の情報を含む、製造されたすべての製品の詳細を使用して更新される。プロビジョニング中に作成されたすべての既定属性は、データベースからロードされる。
【０１５５】
６．３  モノの作成
ＡＷＳプラットフォームは、属性及びシャドウを使用してモノを定義する。モノは物理的なデバイスであり、シャドウはその状態を保持する、またはオフラインの場合は、モノに要求され状態を保持するＪＳＯＮドキュメントである。属性は、モノを説明する検索可能な方法である。
【０１５６】
６．３．１  ディフューザモノ
ディフューザモノは、ユーザがクラウドにプロビジョニング／接続した時点で作成される。その属性は、この時点でデバイスデータベースからモノにコピーされる。それぞれは、データベースに含まれている、そのＵＩＤと一致する名前（ＡＲＮ）で作成される。その属性はデータベースからコピーされる。
【０１５７】
６．３．２  ディフューザシャドウ
ディフューザシャドウはモノと同時に作成される。
【０１５８】
６．３．３  パールモノ
パールモノは、ディフューザで最初に使用された時点で作成される。それぞれは、製造中にプログラムされたＲＦＩＤ  ＵＩＤと一致する名前（ＡＲＮ）で作成される。パールは最初、未使用のグループに割り当てられる。
【０１５９】
６．３．４  ユーザモノ
ユーザモノは、ユーザの最初のアプリで、ユーザが最初にサインインしたときに生成される。したがって、ユーザがログインすると、これらは１つずつ生成される。各ユーザは、ＡＲＮに反映されるＵＩＤを有する。
【０１６０】
６．３．５  アプリモノ
アプリモノは、ユーザが最初にアプリでサインインしたときに生成される。したがって、ユーザがログインすると、これらは１つずつ生成される。各アプリは、ＡＲＮに反映されるＵＩＤを有する。
【０１６１】
６．４  グループ
各ユーザはグループを形成し、その中にアプリ、ディフューザ、及びパールが配置される。
【０１６２】
通常、１つのグループでは１人のユーザのみが許可され、そのユーザのみがそのグループ内のモノを制御することができる。例えば、１人のユーザに割り当てられたパールは、同じグループ内のディフューザのみが使用できる。ユーザは、別のユーザにグループ及びその中のすべてのモノを共有する許可を与えることができる。
【０１６３】
６．５  パール寿命
パールは商品生産物であり、寿命がある。寿命は、まだ決定されていないが、入力として以下を有するアルゴリズムに従ってクラウドによって計算される。
●  使用時間
●  使用中のファン強度
●  芳香の種類
●  パールの種類
●  ディフューザの種類
【０１６４】
寿命の期限が来ると、パールは動作停止としてマークされ（または単に削除され）、データベースはこれを反映して更新され、クラウドはログに記録するが、パールを使用するコマンドは拒否する。
【０１６５】
６．６  新しいユーザのログイン
ＡＷＳプラットフォームには、Ｃｏｇｎｉｔｏと呼ばれるユーザ認証プロセスが組み込まれている。アプリはこれを使用してユーザを認証する。
【０１６６】
６．７  ディフューザのプロビジョニング及びＡＷＳへの初期接続
【０１６７】
６．７．１  接続シナリオ
シナリオ−ユーザがディフューザを購入し、電源を入れ、ダウンロードしたアプリにログインした。
電話機の新しいディフューザを追加するボタンをタップする。
１．ユーザは、ＡＰモードでブロードキャストしているディフューザのＳＳＩＤに電話機のＷｉＦｉを接続するように求められる。
２．アプリは、ユーザにローカルＷｉＦｉ  ＡＰのＳＳＩＤ及びパスワードを入力するように求める。
３．次いで、アプリはＳＳＩＤ及びパスワード、ならびに独自のユーザＵＩＤをディフューザに送信する。アプリはまた、ディフューザからそのＵＩＤを読み取る。
４．次いで、ディフューザはＡＰとしてのブロードキャストを停止し、ステーションモードでローカルＷｉＦｉへの接続を試みる。成功した場合、そのＵＩＤ及びユーザのＵＩＤを含む情報と共に、ＡＷＳ証明書を使用してＡＷＳ割り当てサービスを安全に呼び出す。
５．電話機がステーションモードになると、ディフューザのＷｉＦｉから切断され、ローカルＡＰに自動的に再接続される（または、これが自動的に行われない場合は、アプリから再接続を要求される）。次いで、ディフューザのＵＩＤを使用して割り当てサービスに連絡し、プロビジョニングプロセスが要求されていることを通知する。
６．ＡＷＳ割り当てサービスは、アプリ及びディフューザの両方が互いのＵＩＤで連絡するまで待機する。両方が連絡すると、次いで、サービスは、ディフューザＵＩＤが、デバイスデータベース内に含まれていること、及びユーザ／グループにまだ割り当てられていないことを確認する。
上記が確認されると、サービスは、新しいディフューザモノを作成し、ユーザグループに割り当てる。サービスはまた、プロビジョニングプロセスが成功し、グループに登録され、通信を続行できることを伝えるメッセージをアプリ及びディフューザの両方に送信する。
７．ディフューザはすぐにその状態を発行する。
【０１６８】
６．７．２  モノの故障
プロビジョニング／割り当てプロセス全体が正常に完了しない場合は、いくつかの動作を実行する必要がある。
●  ディフューザＵＩＤがデータベースで認識されていない。
●  ディフューザＵＩＤは、すでにユーザ／グループに割り当てられている。
●  アプリＵＩＤが認識されない。
●  一部のネットワークの問題については、プロセスが完了していない。
【０１６９】
６．８  モノの所有権
モノはユーザグループに割り当てられ、通常、別のユーザがそのモノにコマンドを送信することはできない。ただし、例外がある。
【０１７０】
６．８．１  他のユーザと共有されているディフューザ
別のユーザが既存の割り当てられたディフューザに接続することは可能だが、最初に元のユーザからの許可が必要になる。この許可は、第２のユーザが第１のユーザのグループ全体にアクセスできることを意味する。
【０１７１】
この場合、第２のユーザのプロビジョニングプロセスは不要である。
【０１７２】
６．８．２  ユーザによって削除されているディフューザ
ユーザは、グループからディフューザを削除することで、ディフューザの制御を放棄することができる。この場合、ディフューザは割り当てられていないグループに移動する。ディフューザを別のグループで使用できるようにする前に、ディフューザを再プロビジョニングしなければならない。
【０１７３】
６．９  通信
ディフューザは、ＩｏＴクラウドとの通信だけにＭＱＴＴを使用する。アプリはＲＥＳＴｆｕｌコマンド、または潜在的にＡＷＳ  ＳＮＳを使用する。アプリはモノシャドウと通信し、次いで、モノ及び物理ディフューザを更新する。
【０１７４】
６．１０  ＯＴＡ更新
ＡＷＳ  ＩｏＴプラットフォームは、複数のデバイス上でリモート動作を実行するサービスを提供する。これらはジョブとして参照される。ＯＴＡ機構は、Ｚｅｎａｕｒａが要求するジョブである。
【０１７５】
６．１１  Ｚｅｎａｕｒａデバイス管理
Ｚｅｎａｕｒａは、ディフューザ及びパールの使用状況を監視し、いくつかのアルゴリズムを使って使用状況を分析できる必要がある。これを行う正確な方法はまだ決定されていないが、モノのレジストリが有用である。
【０１７６】
ＡＷＳデバイス管理サービスは、ＡＰＩを提供する。
【０１７７】
７  ＣＲＭインタラクション
ＣＲＭシステムは、以下のＩｏＴデータベースにアクセスできる。
●  顧客サポート
●  ビジネスインテリジェンス
●  デバイス管理
システムの最上位レベルの図を図３２に示す。これは、ハードウェア、ＩｏＴ管理システム及びデータベース、ＣＲＭシステム及び倉庫及びショップシステムなどの他のサードパーティアプリケーション間の情報及びセキュリティトークン管理の経路を示す。
【０１７８】
ＩｏＴシステムとＣＲＭシステムとの間のＡＰＩは次のようになる。
【０１７９】
７．１  情報記録
2021501870.tif 000006
【０１８０】
７．２  状態
2021501870.tif 000007
【０１８１】
７．３  追加／削除
2021501870.tif 000008
【０１８２】
７．４  ビジネスインテリジェンス
2021501870.tif 000009
【０１８３】
７．４．１  変数及びアルゴリズムの更新
2021501870.tif 000010
【０１８４】
８  ダウンロード可能なコンテンツ
ＡＷＳには、編集部、ショップを含むアプリのダウンロード可能なコンテンツを保持する領域がある。
【０１８５】
９  アプリメッセージ
アプリへのメッセージ／アプリからのメッセージの例
2021501870.tif 000011
【０１８６】
１０  メッセージプロトコル
【０１８７】
１０．１  コマンド
コマンドは、以下の３つのフェーズを使用する。
１．アプリは、＿ＰｌａｙコマンドをＩｏＴを介してディフューザに発行する。
２．ディフューザは、配達を確実にするために、１のＱｏＳを使用してＩｏＴを介してアプリに状態更新を発行する。
３．ＩｏＴは、受信を確認するためにＰＵＢＡＣＫメッセージを生成する。
【０１８８】
ディフューザがＰＵＢＡＣＫを受信しない場合は、受信するまで状態メッセージを毎分、再送信する。
【０１８９】
１０．２  状態の更新
パールのＲＦＩＤ状態の変更には、以下の２つのフェーズを使用する。
１．ディフューザは、配達を確実にするために、パールＲＦＩＤタグの更新をＩｏＴに発行し、１のＱｏＳを使用してＩｏＴを介してアプリに、すなわち、＿ＰｅａｒｌＡｄｄｅｄまたは．．／＿ＰｅａｒｌＲｅｍｏｖｅｄを発行する。
２．ＩｏＴは、受信を確認するためにＰＵＢＡＣＫメッセージを生成する。
【０１９０】
ディフューザがＰＵＢＡＣＫを受信しない場合は、受信するまで状態メッセージを毎分、再送信する。
【０１９１】
１１  付録２  −  ＭＱＴＴメッセージ形式の例
【０１９２】
１１．１  作動動作
＿Ｐｌａｙエンドポイントを介してディフューザに送信されるメッセージの例は以下の通りである。
［｛“ｐｅａｒｌｉｎｄｅｘ”：０、“ｆａｎｓｐｅｅｄ”：１００、“ｌｉｇｈｔｉｎｔｅｎｓｉｔｙ”：５０、“ｄｕｒａｔｉｏｎ”：１０｝］
ディフューザは、その状態を／ｔｈｉｎｇｓ／ｘｘｘｘ／ａｔｔｒｉｂｕｔｅｓに発行することによって応答する。これは、異なる「ｔｉｍｅｓｔａｍｐ」時間を有するメッセージの配列にすることができる。例：
［｛“ｔｉｍｅｓｔａｍｐ”：１２３４５６７８、“ｋｅｙ”：“ｆａｎ０ｓｐｅｅｄ”、“ｖａｌｕｅ”：１００｝、｛“ｔｉｍｅｓｔａｍｐ”：１２３４５６７８、“ｋｅｙ”：“ｌｉｇｈｔ０ｉｎｔｅｎｓｉｔｙ”、“ｖａｌｕｅ”：９０｝、｛“ｔｉｍｅｓｔａｍｐ”：１２３４５６７８、“ｋｅｙ”：“ｆａｎ１ｓｐｅｅｄ”、“ｖａｌｕｅ”：８０｝、｛“ｔｉｍｅｓｔａｍｐ”：１２３４５６７８、“ｋｅｙ”：“ｌｉｇｈｔ１ｉｎｔｅｎｓｉｔｙ”、“ｖａｌｕｅ”：７０｝
【０１９３】
１１．２  パール追加動作
ディフューザは、パールＩＤ状態メッセージを／ｏｂｊｅｃｔｓ／ｘｘｘｘ／ａｃｔｉｏｎｓ／＿ＰｅａｒｌＡｄｄｅｄに発行する。これは、特性が更新されるのと同時に行われ得るか、またはパールが追加された場合にのみ行われ得る。例：
｛“ｔｙｐｅ”：“＿ＰｅａｒｌＡｄｄｅｄ”、“ｐｒｏｊｅｃｔｉｄ”：“ｘｘｙｙｚｚ”、“ｔｉｍｅｓｔａｍｐ”：１２３４５６７８、“ｃｕｓｔｏｍＦｉｅｌｄｓ”：｛“ｐｅａｒｌｉｎｄｅｘ”：２、“ｐｅａｒｌｉｄ”：“ＡＢＣＤＥＦＧ”｝｝
【０１９４】
１１．３  パール削除動作
パールが削除されると、ディフューザは／ｏｂｊｅｃｔｓ／ｘｘｘｘ／ａｃｔｉｏｎｓ／＿ＰｅａｒｌＲｅｍｏｖｅｄにメッセージを発行する。例：
｛“ｔｙｐｅ”：“＿ＰｅａｒｌＲｅｍｏｖｅｄ”、“ｐｒｏｊｅｃｔｉｄ”：“ｘｘｙｙｚｚ”、“ｔｉｍｅｓｔａｍｐ”：１２３４５６７８、“ｃｕｓｔｏｍＦｉｅｌｄｓ”：｛“ｐｅａｒｌｉｎｄｅｘ”：２｝｝
ＩｏＴプラットフォームは、状態及びパールＩＤの更新にＰＵＢＡＣＫメッセージで応答し、受信を確認する。
【０１９５】
（ｃｒｏｎタイムスタンプ、コマンド）ペアの配列を＿Ｓｃｈｅｄｕｌｅに発行することによって、スケジュールを設定することができる。コマンドは上記と同じ形式である。例：
［｛”ｔｉｍｅ”：”＊＊＊＊＊＊”、”ｃｏｍｍａｎｄ”：［｛”ｐｅａｒｌｉｎｄｅｘ”：０、”ｆａｎｓｐｅｅｄ”：５０、”ｌｅｄｉｎｔｅｎｓｉｔｙ”：１００、”ｄｕｒａｔｉｏｎ”：３０｝］｝、
【０１９６】
１２  ＡＷＳモノの種類
【０１９７】
１２．１  ３つのパールディフューザの種類
2021501870.tif 000012
【０１９８】
１２．２  パールの種類
2021501870.tif 000013
【０１９９】
１２．３  アプリの種類
2021501870.tif 000014
【０２００】
１３  ＡＷＳグループ
【０２０１】
１３．１  ユーザグループ
●  アプリ
●  ディフューザ
●  パール
●  他のユーザ
【図１】
2021501870.tif 000015
【図２】
2021501870.tif 000016
【図３】
2021501870.tif 000017
【図４】
2021501870.tif 000018
【図５】
2021501870.tif 000019
【図６】
2021501870.tif 000020
【図７】
2021501870.tif 000021
【図８】
2021501870.tif 000022
【図９】
2021501870.tif 000023
【図１０】
2021501870.tif 000024
【図１１】
2021501870.tif 000025
【図１２】
2021501870.tif 000026
【図１３】
2021501870.tif 000027
【図１４】
2021501870.tif 000028
【図１５】
2021501870.tif 000029
【図１６】
2021501870.tif 000030
【図１７】
2021501870.tif 000031
【図１８】
2021501870.tif 000032
【図１９】
2021501870.tif 000033
【図２０】
2021501870.tif 000034
【図２１】
2021501870.tif 000035
【図２２】
2021501870.tif 000036
【図２３】
2021501870.tif 000037
【図２４】
2021501870.tif 000038
【図２５】
2021501870.tif 000039
【図２６】
2021501870.tif 000040
【図２７】
2021501870.tif 000041
【図２８】
2021501870.tif 000042
【図２９】
2021501870.tif 000043
【図３０】
2021501870.tif 000044
【図３１】
2021501870.tif 000045
【図３２】
2021501870.tif 000046
【国際調査報告】
2021501870.tif 000047
2021501870.tif 000048
2021501870.tif 000049
2021501870.tif 000050
2021501870.tif 000051